(57)【要約】【課題】  本発明は、プラント内で発生し直ぐに解決できない問題事項、および当該問題事項に対する日誌を簡単に探し出すことができる、電子日誌システムを提供することを目的とする。【解決手段】本発明に係る電子日誌システムは、未解決問題事項件名の登録を行う問題事項登録部２と、日誌文章の作成機能を有する日誌機能部１とを備える。問題事項登録部２は、未解決問題事項件名を所定のキーワードと関連付ける。日誌機能部１は、日誌文章内に所定のキーワードが含まれているときには、所定のキーワードと関連付けられている未解決問題事項件名と、当該日誌文章とを関連付ける。【選択図】図１
2014078151.tif 000002
【特許請求の範囲】
【請求項１】
プラント運転に関する連絡事項を電子的に記録する電子日誌システムであって、
プラント内で発生し未解決の問題を、当該問題ごとに未解決問題事項件名として登録することができる問題事項登録部と、
日誌文章の作成機能を有する日誌機能部とを、備えており、
前記問題事項登録部は、
前記未解決問題事項件名を、所定のキーワードと関連付け登録し、
前記日誌機能部は、
作成された前記日誌文章内に前記所定のキーワードが含まれているときには、前記所定のキーワードと関連付けられている前記未解決問題事項件名と、当該日誌文章とを、関連付ける、
ことを特徴とする電子日誌システム。
【請求項２】
前記所定のキーワードは、
前記プラントにおいて配設されている機器を識別する機器識別情報であり、
前記問題事項登録部は、
プラント内で発生し未解決である前記問題に関連する前記機器を識別する前記機器識別情報を、前記未解決問題事項件名と関連付ける、
ことを特徴とする請求項１に記載の電子日誌システム。
【請求項３】
前記日誌機能部で作成された前記日誌文章を記憶する日誌記憶部と、
前記プラントに配設されている前記機器の前記機器識別情報が記憶されている、識別情報記憶部と、
前記未解決問題事項件名を前記日誌文章と関連付けて記憶する、問題事項件名記憶部とを、さらに備えている、
ことを特徴とする請求項２に記載の電子日誌システム。
【請求項４】
前記問題事項登録部は、
前記未解決問題事項件名が入力されたとき、当該入力された未解決問題事項件名を、前記識別情報記憶部に送信し、
前記識別情報記憶部は、
当該識別情報記憶部に記憶されている前記機器識別情報と、前記問題事項登録部から送信された前記未解決問題事項件名とを比較し、前記未解決問題事項件名内に前記識別情報記憶部に記憶されている前記機器識別情報が含まれていると判断したとき、前記未解決問題事項件名に含まれている前記機器識別情報を、前記問題事項登録部に送信し、
前記問題事項登録部は、
前記識別情報記憶部から送信された前記機器識別情報を、前記所定のキーワードとして決定し、当該問題事項登録部で入力された前記未解決問題事項件名と前記識別情報記憶部から送信された前記機器識別情報とを相互に関連づけて、前記問題事項件名記憶部に記憶する、
ことを特徴とする請求項３に記載の電子日誌システム。
【請求項５】
前記問題事項登録部は、
前記未解決問題事項件名が入力されたとき、当該入力された未解決問題事項件名を、前記識別情報記憶部に送信し、
前記識別情報記憶部は、
当該識別情報記憶部に記憶されている前記機器識別情報と、前記問題事項登録部から送信された前記未解決問題事項件名とを比較し、前記未解決問題事項件名内に前記識別情報記憶部に記憶されている前記機器識別情報が含まれていないと判断したとき、前記未解決問題事項件名に前記識別情報記憶部で記憶されている前記機器識別情報が含まれていない旨を示す識別情報無信号を、前記問題事項登録部に送信し、
前記問題事項登録部は、
前記識別情報無信号を受信したとき、外部から入力された前記機器識別情報を、前記所定のキーワードとして決定し、当該問題事項登録部で入力された前記未解決問題事項件名と前記入力された機器識別情報とを相互に関連づけて、前記問題事項件名記憶部に記憶する、
ことを特徴とする請求項３に記載の電子日誌システム。
【請求項６】
前記日誌機能部は、
前記日誌文章を、前記問題事項件名記憶部に送信し、
前記問題事項件名記憶部は、
前記所定のキーワードとして記憶されている前記機器識別情報と、前記日誌機能部から送信された前記日誌文章とを比較し、前記日誌文章内に前記問題事項件名記憶部に前記所定のキーワードとして記憶されている前記機器識別情報が含まれていると判断したとき、当該判断の結果を、前記日誌機能部に送信し、
前記日誌機能部は、
前記判断の結果を受信したとき、前記日誌機能部で作成された前記日誌文章と、前記日誌文章内に含まれる前記機器識別情報と関連付けて前記問題事項件名記憶部に記憶されている前記未解決問題事項件名とを、前記問題事項件名記憶部において関連付ける、
ことを特徴とする請求項４または請求項５に記載の電子日誌システム。
【請求項７】
前記問題事項登録部に登録されている前記未解決問題事項件名を、前記未解決問題事項件名と前記日誌文章との関連付けがされていることを示す情報と共に、一覧表示する表示部を、さらに備えている、
ことを特徴とする請求項１乃至請求項６の何れかに記載の電子日誌システム。
【請求項８】
前記問題事項登録部は、
所定の前記未解決問題事項件名に対して、外部から、問題の解決を示す情報が登録されたとき、前記所定の未解決問題事項件名を、前記日誌文章との関連付けを維持して、解決問題事項として、登録する、
ことを特徴とする請求項１乃至請求項７の何れかに記載の電子日誌システム。
【発明の詳細な説明】
【技術分野】
【０００１】
本発明は、プラント運転に関する連絡事項を電子的に記録する電子日誌システムに関するものである。
【背景技術】
【０００２】
２４時間操業を行っているプラントでは、交代勤務における業務引継、トラブル解析および運転ノウハウの承継等のために、運転日誌が作製されている。当該運転日誌（引継簿、申し送り帳など）には、プラント運転に関する各連絡事項（実施された作業内容、プラントで発生した問題事項、交代勤務のオペレータへの連絡など）が記録される。また、以前は手書きで作製されていた運転日誌も、近年では電子化され、当該電子化された運転日誌の作製が可能な日誌システムも導入されつつある。
【０００３】
たとえば、プラント運転の記録で利用される電子日誌では、プラント内で発生した問題事項を記録し、当該問題に対する経過記録および当該問題に対する対処作業なども記録される。一方で、プラント内で発生した問題事項は、問題発生時で直ぐに解決できないこともあり、長期間に渡って、複数の作業員・関連部門が関与することにより、解決されることもある。
【０００４】
なお、日誌を電子的に作成し、管理する電子日誌装置に関する先行文献として、例えば特許文献１が存在している。
【先行技術文献】
【特許文献】
【０００５】
【特許文献１】特開２００３−１７３３０９号公報
【発明の概要】
【発明が解決しようとする課題】
【０００６】
従来の電子日誌機能では、当日に処理した事項および連絡事項等を時系列的に記録するのみである。たとえば、プラント内で発生し直ぐに解決できない問題事項に関する内容は、単に時系列的に、電子日誌に記録される。
【０００７】
この場合、他の作業員等は、記録された全ての日誌の中から、当該問題事項に関する日誌を見つけ出すことが困難である。つまり、他の作業員等は、時系列的に管理・記録されている多量の日誌の中から、当該問題事項に関する日誌を抽出するためには、毎回、キーワード検索等を行い、所望の日誌を取り出す必要があり、手間暇を要する。
【０００８】
さらに、プラント内で発生し直ぐに解決できない問題事項を、他の事項同様に、単に時系列的に、電子日誌に記録したのでは、作業員における当該問題事項に対する意識の低下を招く。
【０００９】
そこで、本発明は、プラント内で発生し直ぐに解決できない問題事項、および問題事項に関連する日誌を簡単に探し出すことができ、作業員における当該問題事項に対する意識の向上を図ることが可能な、電子日誌システムを提供することを目的とする。
【課題を解決するための手段】
【００１０】
本発明に係る電子日誌システムは、プラント運転に関する連絡事項を電子的に記録する電子日誌システムであって、プラント内で発生し未解決の問題を、当該問題ごとに未解決問題事項件名として登録することができる問題事項登録部と、日誌文章の作成機能を有する日誌機能部とを、備えており、前記問題事項登録部は、前記未解決問題事項件名を、所定のキーワードと関連付け登録し、前記日誌機能部は、作成された前記日誌文章内に前記所定のキーワードが含まれているときには、前記所定のキーワードと関連付けられている前記未解決問題事項件名と、当該日誌文章とを、関連付ける。
【発明の効果】
【００１１】
本発明に係る電子日誌システムは、プラント内で発生し未解決の問題を、当該問題ごとに、所定のキーワードと関連付けて未解決問題事項件名として登録し、日誌機能部は、日誌文章内に所定のキーワードが含まれているときには、所定のキーワードと関連付けられている未解決問題事項件名と当該日誌文章とを関連付ける。
【００１２】
したがって、本実施の形態に係る電子日誌システムでは、プラント運転中に発生し、直ぐに解決できない問題を、未解決問題事項件名として管理することができる。さらに、当該電子日誌システムでは、単に時系列的に作成した日誌を、ユーザにより登録された未解決問題事項件名と自動的に（また、作業者が特に意識することなく、多大な労力を必要とせずに）紐づけさて、当該日誌を長期的に電子的に管理することができる。
【００１３】
よって、各未解決問題事項件名に対して、問題が発生した時から現在までの日誌の内容がまとまっており、未解決問題事項件名で特定される問題、および問題に関連付けされた日誌文章を迅速にかつ容易に探し出すことができる。よって、当該問題に対するフォローを確実に行うことができる。また、ユーザにおける問題事項に対する意識の向上を図ることも可能となる。
【図面の簡単な説明】
【００１４】
【図１】本発明に係る電子日誌システムの構成を示すブロック図である。
【図２】日誌文章のフォーマット例を示す図である。
【図３】実施の形態１に係る電子日誌システムにおける、未解決問題事項件名登録の動作を説明するフローチャートである。
【図４】未解決問題事項件名登録の動作を説明するための図である。
【図５】未解決問題事項件名登録の動作を説明するための図である。
【図６】複数の機器識別情報が識別情報記憶部５内に格納されている様子を例示した図である。
【図７】未解決問題事項件名登録の動作を説明するための図である。
【図８】未解決問題事項件名登録の動作を説明するための図である。
【図９】実施の形態１に係る電子日誌システムにおける、日誌文章と未解決問題事項件名との関連付け動作を説明するフローチャートである。
【図１０】日誌文章と未解決問題事項件名との関連付け動作を説明するための図である。
【図１１】日誌文章と未解決問題事項件名との関連付け動作を説明するための図である。
【図１２】日誌文章と未解決問題事項件名との関連付け動作を説明するための図である。
【図１３】日誌文章と未解決問題事項件名との関連付け動作を説明するための図である。
【図１４】実施の形態２に係る電子日誌システムにおける、未解決問題事項件名を解決問題事項件名に変更する動作を説明するための図である。
【図１５】実施の形態２に係る電子日誌システムにおける、未解決問題事項件名を解決問題事項件名に変更する動作を説明するための図である。
【図１６】実施の形態２に係る電子日誌システムにおける、未解決問題事項件名を解決問題事項件名に変更する動作を説明するための図である。
【図１７】実施の形態２に係る電子日誌システムにおける、未解決問題事項件名を解決問題事項件名に変更する動作を説明するための図である。
【発明を実施するための形態】
【００１５】
本発明は、プラント（工場）での運転に関する各連絡事項（実施された作業内容、プラントで発生した問題事項、交代勤務のオペレータへの連絡など）を電子的に記録する電子日誌システムに関するものである。以下、この発明をその実施の形態を示す図面に基づいて具体的に説明する。
【００１６】
＜実施の形態１＞
図１は、本発明に係る電子日誌システムの概略構成を示すブロック図である。
【００１７】
なお、図１の構成例では、電子日誌システムを構成する全ての構成要素（図１に示す各機能ブロック１〜７）が、１台のＰＣ（パーソナルコンピュータ）である電子日誌装置１００内に配設されている場合について説明する。しかし、全ての構成要素１〜７が１台の電子日誌装置１００内に配設されていなくても良い。たとえば、電子日誌装置１００内に、構成要素１〜４，６，７を配設し、他の外部ＰＣ内に、識別情報記憶部５および当該識別情報記憶部５に対する入力・操作を行う操作部を配設させて、電子日誌装置１００と他の外部ＰＣとを通信可能に接続することにより、電子日誌システムを構成することもできる。
【００１８】
図１において、日誌機能部１は、操作部６からの操作に応じて、日誌文章を電子的に作成する機能を有する。ここで、図２に例示するように、日誌文章は、件名記入欄５１に記入された日誌件名と、本文記入欄５２に記入された日誌本文とを含む構成である。日誌機能部１は、図２に例示する日誌文章（または、日誌文章を入力するためのフォーマット５０）を表示部７に表示させる。そして、作業員は、日誌文章入力フォーマット５０が表示された表示部７を見ながら、操作部６に対する入力処理を行う。当該入力処理に応じて、日誌機能部１は、件名記入欄５１内に日誌の件名を記入し、本文記入欄５２内に日誌の本文を記入する。
【００１９】
日誌記録部３には、複数の日誌文章が記憶されている。たとえば、日記記録部３には、複数の日誌文章が、作成日の時系列で管理されている。日誌機能部１は、日誌記憶部３に対して、日誌文章の記録、呼出し、修正変更および削除等を実施することができる。
【００２０】
問題事項登録部２は、操作部６の操作に応じて、未解決問題事項件名の登録を行うことができる。プラントにおいて問題が発生することがある。そして、当該問題が直ぐに解決できず、未解決の状態で長期間対処することも要することもある。このような長期対応を要する未解決問題を、作業員は、操作部６を操作して、当該操作に応じて問題事項登録部２は、未解決問題事項件名の登録を実行する。
【００２１】
問題事項件名記憶部４には、問題事項登録部２によって登録された未解決問題事項件名の記憶がされる。ここで、問題事項件名記憶部４には、未解決問題事項件名と、未解決問題事項件名と関連付けられた所定のキーワードとが記憶されている。
【００２２】
所定のキーワードは、問題事項登録部２によって、未解決問題事項件名と関連付けられ、登録される。プラント内には、複数の測定器や製造装置等の機器が配設されている。各機器には、当該機器を識別するための機器識別情報が個別に付与されている。以下の説明では、上記所定のキーワードとして、当該機器識別情報を利用している。
【００２３】
また、問題事項件名記憶部４に記憶されている未解決問題事項件名は、日誌機能部１の制御により、日誌記憶部３に格納されている日誌文章と関連付けさせることが可能である。
【００２４】
識別情報記憶部５には、上述した各機器に付与された各機器識別情報が記憶されている。ここで、各機器識別情報の識別情報記憶部５への記憶は、操作部６からの入力操作により実施される。なお、識別情報記憶部５に対する機器識別情報の追加・削除・変更は、操作部６を使用して、いつでも実施できる。
【００２５】
表示部７には、日誌文章作成時に、日誌文章入力画面が表示されたり、未解決問題事項件名登録時に、未解決問題事項件名登録画面が表示されたりする。また、表示部７には、日誌記憶部３に格納されている日誌文章の表示を行うことも可能であり、さらに問題事項件名記憶部４に格納されている、未解決問題事項件名の一覧を所定のキーワードと共に表示することもできる。また、表示部７に一覧表示された未解決問題事項件名には、日誌文章との関連付けも表示される。
【００２６】
なお、各構成要素１〜７の動作・機能は、以下に示す本願発明の動作の説明により、より詳細に説明され、場合によって上記以外の動作・機能以外についても、詳細に説明する。
【００２７】
また、図１の構成例では、日誌記憶部１、問題事項件名記憶部４および識別情報記憶部５は、別個独立の記憶部として配設されている。しかし、これらの記憶部１，４，５を一つの記憶手段により構成することも当然可能である。
【００２８】
次に、本発明に係る電子日誌システムの動作を、フローチャートを用いて詳細に説明する。ここで、識別情報記憶部５には、予め、複数の機器識別情報が格納されている。
【００２９】
まず、未解決問題事項件名の登録動作について、図３のフローチャートを用いて説明する。
【００３０】
未解決問題事項件名の登録の必要が生じたとする。たとえば、プラントにおいて問題が発生し、当該問題発生日に、当該問題が解決されなかったとする。このような場合には、作業員は、操作部６の操作を行う。当該操作（未解決問題事項件名登録開始操作と把握できる）に応じて、問題事項登録部２は、表示部７に未解決問題事項件名登録の画面を表示する。
【００３１】
図４は、未解決問題事項件名登録画面５４の一例を示す図である。図４に例示する未解決問題事項件名登録画面５４は、未解決問題事項件名記入欄５５と所定のキーワード記入欄５６が少なくとも設けられている。
【００３２】
次に、作業員は、操作部６を操作（未解決問題事項件名記入操作と把握できる）する。当該未解決問題事件名記入操作に応じて、問題事項登録部２は、未解決問題事項件名記入欄５５内に、未解決問題事項件名の記入を行う（ステップＳ１）。ここで、未解決問題事項件名内には、上記未解決の問題が生じている機器（または、未解決の問題に関連する機器）の機器識別情報が含まれている。
【００３３】
図５は、表示部７に表示される、未解決問題事項件名の記入が行われた未解決問題事項件名登録画面５４を示す図である。図５の例では、未解決問題事項件名として、「Ｐ１００＊＊＊＊＊＊＊＊」が記入されている。ここで、「Ｐ１００」が、未解決の問題が生じている機器（または、未解決の問題に関連する機器）の機器識別情報である。
【００３４】
次に、未解決問題事項件名記入欄５５内における未解決問題事項件名の記入が完了すると、問題事項登録部２は、ステップＳ１で記入された未解決問題事項件名を、識別情報記憶部５へ送信する（ステップＳ２）。図５の例では、問題事項登録部２は、「Ｐ１００＊＊＊＊＊＊＊＊」を、識別情報記憶部５へ送信する（ステップＳ２）。
【００３５】
未解決問題事項件名を受信した識別情報記憶部５は、送信された「未解決問題事項件名」と識別情報記憶部５に格納されている「機器識別情報」との比較を行う。そして、当該比較により、識別情報記憶部５は、送信された「未解決問題事項件名」内に、自記憶部５内に格納されている「機器識別情報」が含まれているか否かを判断（検索）する（ステップＳ３）。ここで、識別情報記憶部５は、たとえばパターンマッチング方式等を利用して、前記ステップＳ３の検索動作を行う。
【００３６】
ステップＳ３の検索動作を完了すると、識別情報記憶部５は、検索結果を、問題事項登録部２に対して送信する（ステップＳ４）。
【００３７】
図６は、識別情報記憶部５内に、複数の機器識別情報が格納されている様子を例示する図である。図５の未解決問題事項件名記入５５の記入内容と、図６の格納状況とを比較すると、図５，６に例示するケースでは、ステップＳ３において、識別情報記憶部５は、送信された「未解決問題事項件名」内に、自記憶部５内に格納されている「機器識別情報」が含まれていると判断する。したがって、この場合には、識別情報記憶部５は、ステップＳ４において、検索結果として、ステップＳ３においてマッチングした「機器識別情報（図５，６に例示するケースでは、「Ｐ１００」）」を、問題事項登録部２に対して送信する。
【００３８】
他方、図５，６に例示するケースと異なり、送信された「未解決問題事項件名」内に識別情報記憶部５内に格納されている「機器識別情報」が含まれていないとする（換言すれば、当該「未解決問題事項件名」には機器識別情報が含まれているが、当該機器識別情報が識別情報記憶部５には格納されていないとする）。
【００３９】
この場合には、ステップＳ３において当然、識別情報記憶部５は、送信された「未解決問題事項件名」内に、自記憶部５内に格納されている「機器識別情報」が含まれていないと判断する。したがって、この場合には、識別情報記憶部５は、ステップＳ４において、検索結果として、「識別情報無信号」を、問題事項登録部２に対して送信する。ここで、「識別情報無信号」とは、未解決問題事項件名に識別情報記憶部５で記憶されている機器識別情報が含まれていない旨を示す信号である。
【００４０】
次に、問題事項登録部２がステップＳ４で送信された検索結果を受信したとき、当該問題事項登録部２は、当該検索結果が、「機器識別情報」であるか「識別情報無信号」であるかを判断する（ステップＳ５）。
【００４１】
ステップ５において問題事項登録部２が、ステップＳ４で送信された検索結果が、「機器識別情報」であると判断したとする（ステップＳ５で「Ｙｅｓ」）。この場合、問題事項登録部２は、ステップＳ４で送信された「機器識別情報」を、ステップＳ１で入力された未解決問題事項件名に対する「所定のキーワード」とし、ステップＳ１で入力された未解決問題事項件名に関連付ける（所定のキーワードの登録処理と把握でき、ステップＳ６）。
【００４２】
ステップＳ６における所定のキーワード登録処理が完了したとき、問題事項登録部２は、ステップＳ１で入力された未解決問題事項件名と、当該未解決問題事項件名に関連付けられた「機器識別情報」とを、表示部７に表示させる。図７は、表示の一例を示す図である。図７に示す所定のキーワード記入欄５６内には、問題事項登録部２により、所定のキーワード（ステップＳ４で送信された機器識別情報）として、「Ｐ１００」が記入されている。
【００４３】
他方、ステップ５において問題事項登録部２が、ステップＳ４で送信された検索結果が、「識別情報無信号」であると判断したとする（ステップＳ５で「Ｎｏ」）。この場合、問題事項登録部２は、自動的に所定のキーワードを登録できなかった旨を、表示部７に表示させる。当該表示を見た作業員は、所定のキーワードを、操作部６を用いて手動で入力する。ここで、操作部６から入力されるものは、未解決問題事項件名記入欄５５に記入されている未解決問題事項件名に含まれている機器識別情報である。当該手動での入力処理により、問題事項登録部２は、当該入力された「機器識別情報」を、ステップＳ１で入力された未解決問題事項件名に対する「所定のキーワード」とし、ステップＳ１で入力された未解決問題事項件名に関連付ける（所定のキーワードの登録処理と把握でき、ステップＳ７）。
【００４４】
ここで、上記機器識別情報の手動入力処理により、問題事項登録部２は、ステップＳ１で入力された未解決問題事項件名と、当該未解決問題事項件名に関連付けられた「機器識別情報（前記手動入力された機器識別情報）」とを、表示部７に表示させる。
【００４５】
ステップＳ６の処理が終了した後、問題事項登録部２は、ステップＳ４で送信された機器識別情報（所定のキーワード）と、ステップＳ１で入力された未解決問題事項件名とを相互に関連づけた状態のデータを、問題事項件名記憶部４内に記憶する（ステップＳ８）。
【００４６】
また、ステップＳ７の処理が終了した後、問題事項登録部２は、作業員により手動で入力された機器識別情報（所定のキーワード）と、ステップＳ１で入力された未解決問題事項件名とを相互に関連づけた状態のデータを、問題事項件名記憶部４内に記憶する（ステップＳ８）。
【００４７】
未解決問題事項件名の登録処理を行う度に、図３に示すフローチャートが実施される。なお、少なくとも１回以上の未解決問題事項件名の登録処理が実施された後に、作業員が、操作部６を通じて未解決問題事項件名一覧表表示の操作を施したとする。
【００４８】
この場合、問題事項登録部２は、ステップＳ８で記録されたデータ（つまり、未解決問題事項件名と当該未解決問題事項件名に関連付けられている所定のキーワード（機器識別情報）とから成るデータ）を、問題事項件名記憶部４から読み出す。そして、問題事項登録部２は、当該読み出したデータを、未解決問題事項件名一覧表として、表示部７に表示させる。
【００４９】
図８は、表示部７に表示された、未解決問題事項件名の一覧表の一例を示す図である。ここで、図８は、図３の動作を複数回実施された場合の、未解決問題事項件名の一覧表である。図８では、各データ（各データは、未解決問題事項件名と当該未解決問題事項件名に関連付けられている所定のキーワード（機器識別情報）とから成る）が、各行毎に分けて表示されている。
【００５０】
なお、図８の例では、説明簡略化のために、後述する日誌文章との関連付けがなされていない状態を示している。
【００５１】
次に、未解決問題事項件名と日誌文章とを関連付ける動作について、図９のフローチャートを用いて説明する。
【００５２】
作業員は、操作部６を操作して、日誌作成開始の処理を実施する。当該日誌作成開始操作に応じて、日誌機能部１は、表示部７に、日誌文章入力の画面を表示する。図１０は、日誌文章入力画面５０の一例を示す図である。図１０に例示する日誌文章入力画面５０は、日誌件名記入欄５１と日誌本文記入欄５２が少なくとも設けられている。なお、本明細書においては、「日誌文章」とは、「日誌件名」と「日誌本文」との両方を含む概念である。
【００５３】
次に、作業員は、操作部６を操作（日誌文章作成操作と把握できる）する。当該日誌文章作成操作に応じて、日誌機能部１は、日誌件名記入欄５１内に、日誌件名の記入を行い、日誌本文記入欄５２内に、日誌本文の記入を行う（ステップＳ２１）。
【００５４】
ここで、プラント内に配設されている機器に対する諸連絡事項等を日誌に記録する場合には、日誌件名および／または日誌本文内に、当該機器の機器識別情報を含ませる。なお、以下の説明では、日誌件名に機器識別情報が含まれているとする。
【００５５】
ステップＳ２１により、図１１に例示するように、各記入欄５１，５２に文章が記入され、表示部７に表示される。図１１の例では、日誌件名として、「Ｐ１００・・・・・・・・」が記入されている。ここで、「Ｐ１００」が機器識別情報である。
【００５６】
次に、日誌文章の記入が完了すると、日誌機能部１は、ステップＳ２１で記入された日誌文章を、問題事項件名記憶部４へ送信する（ステップＳ２２）。図１１の例では、日誌機能部１は、「Ｐ１００・・・・・・・・」の日誌件名を含む日誌文章を、問題事項件名記憶部４へ送信する（ステップＳ２２）。
【００５７】
日誌文章を受信した問題事項件名記憶部４は、送信された「日誌文章」と問題事項件名記憶部４において所定のキーワードとして格納されている「機器識別情報」（図８に例示したデータにおける所定のキーワード）との比較を行う。そして、当該比較により、問題事項件名記憶部４は、送信された「日誌文章」内に、自記憶部４内に所定のキーワードとして格納されている「機器識別情報」が含まれているか否かを判断（検索）する（ステップＳ２３）。ここで、問題事項件名記憶部４は、たとえばパターンマッチング方式等を利用して、前記ステップＳ２３の検索動作を行う。
【００５８】
ステップＳ２３の比較動作を完了すると、問題事項件名記憶部４は、比較結果を、日誌機能部１に対して送信する（ステップＳ２４）。
【００５９】
ステップＳ２３において、問題事項件名記憶部４は、送信された「日誌文章」内に、自記憶部４内に所定のキーワードとして格納されている「機器識別情報」が含まれていると判断したとする。たとえば、問題事項件名記憶部４に図８に例示するデータ（「Ｐ１００」等）が格納されており、図１１に例示する日誌文章（「Ｐ１００」が含まれている日誌文章）が送信された場合である。
【００６０】
この場合には、問題事項件名記憶部４は、ステップＳ２４において、比較結果として、「日誌文章内に、問題事項件名記憶部４に所定のキーワードとして格納されている機器識別情報が含まれている」旨を示す、「所定のキーワード有信号」を、日誌機能部１に対して送信する。
【００６１】
他方、上記と異なり、送信された「日誌文章」内に、自記憶部４内に所定のキーワードとして格納されている「機器識別情報」が含まれていないとする（換言すれば、日誌文章内に機器識別情報が含まれていない場合、または、「日誌文章」には機器識別情報が含まれているが、当該機器識別情報が問題事項件名記憶部４には、所定のキーワードとして格納されていない場合である）。
【００６２】
この場合には、問題事項件名記憶部４は、ステップＳ２４において、比較結果として、「日誌文章内に、問題事項件名記憶部４に所定のキーワードとして格納されている機器識別情報が含まれていない」旨を示す、「所定のキーワード無信号」を、日誌機能部１に対して送信する。
【００６３】
次に、日誌機能部１がステップＳ２４で送信された比較結果を受信したとき、当該日誌機能部１は、当該比較結果が、「所定のキーワード有信号」であるか「所定のキーワード無信号」であるかを判断する（ステップＳ２５）。
【００６４】
ステップ２５において、日誌機能部１が、ステップＳ２４で送信された比較結果が、「所定のキーワード有信号」であると判断したとする（ステップＳ２５で「Ｙｅｓ」）。この場合、日誌機能部１は、ステップＳ１で入力・作成された「日誌文章」を、当該日誌文章に含まれる機器識別情報と関連付けられている未解決問題事項件名とを、関連付ける（ステップＳ２６）。当該日誌文章を未解決問題事項件名に関連付ける動作は、日誌機能部１が問題事項件名に記憶部４に対して実施する。
【００６５】
たとえば、図８および図１１を例に説明する。図１１には、日誌文章（より具体的には、日誌件名）内に、機器識別情報として「Ｐ１００」が含まれている。これに対して、問題事項件名記憶部４には、図８に示すように、所定のキーワードとして「Ｐ１００」が格納されている。
【００６６】
したがって、このような場合には、日誌機能部１は、図１１に示す日誌文章を、所定のキーワード「Ｐ１００」と関連付けて問題事項件名記憶部４に格納されている「未解決問題事項件名（「Ｐ１００＊＊＊＊＊＊＊＊」）と関連付ける（ステップＳ２６）。
【００６７】
ステップＳ２６の関連付けの結果、電子日誌システムにおいて、図１２に例示するデータが作成される。ステップＳ２６による関連付けがなされたことを示すために（つまり、「未解決問題事項件名」に、当該「未解決問題事項件名に紐づけされた「日誌文章」が存在することを示すために）、図１２に示すように、「未解決問題事項件名である「Ｐ１００＊＊＊＊＊＊＊＊」」の下位に、「関連付けされた日誌文章の日誌件名である「Ｐ１００・・・・・・・・」」が配置される。
【００６８】
ステップＳ２６の後、日誌機能部１は、ステップＳ２１で作成された日誌文章を、日誌記憶部３に時系列的に格納し、ステップＳ２６における日誌文章と未解決問題事項件名との関連付けを示すデータ（図１２に例示する関連付けが示すデータ）を、問題事項件名記憶部４において記憶させる（ステップＳ２８）。
【００６９】
なお、ステップＳ２６における関連付け処理が完了したとき、日誌機能部１は、当該関連付けの結果（図１２に例示する関連付けが示された、問題事項件名記憶部４に格納されている「未解決問題事項件名一覧」）を、表示部７に表示させる。
【００７０】
他方、ステップ２５において、日誌機能部１が、ステップＳ２４で送信された比較結果が、「所定のキーワード無信号」であると判断したとする（ステップＳ２５で「Ｎｏ」）。この場合、ステップＳ２６で説明した関連付け処理は実施されず、日誌機能部１は、ステップＳ２１で作成された日誌文章を、日誌記憶部３に時系列的に格納する（ステップＳ２７）。
【００７１】
日誌作成処理が実施される度に、図９に示すフローチャートが実施される。なお、複数の日誌が作成された後に、作業員が、操作部６を通じて未解決問題事項件名一覧表表示の操作を施したとする。
【００７２】
この場合、問題事項登録部２は、未解決問題事項件名と、当該未解決問題事項件名に関連付けられている所定のキーワードと、当該未解決問題事項件名に関連付けられている日誌文章の日誌件名とから成るデータを、問題事項件名記憶部４から読み出す。そして、問題事項登録部２は、当該読み出したデータを、未解決問題事項件名一覧表として、表示部７に表示させる。
【００７３】
図１３は、表示部７に表示された、未解決問題事項件名の一覧表の一例を示す図である。ここで、図１３は、図３，９の動作を複数回実施された場合の、未解決問題事項件名の一覧表である。
【００７４】
当該未解決問題事項件名の一覧表には、複数の未解決問題事項件名が列記されており、各未解決問題事項件名に対して、当該未解決問題事項件名に関連付けられている所定のキーワード（機器識別情報）が表示される。また、未解決問題事項件名と関連付けられた日誌文章がある場合には、当該未解決問題事項件名に対して、関連付けされた日誌文章の日誌件名が下位的（従属的）に列記される。
【００７５】
たとえば、図１３の表示例では、「Ｐ１００＊＊＊＊＊＊＊＊」、「Ｆ４００＊＊＊＊＊＊＊＊」および「ＵＪ６７＊＊＊＊＊＊＊＊」などが、未解決問題事項件名として表示され、「Ｐ１００＊＊＊＊＊＊＊＊」に対しては「Ｐ１００」、「Ｆ４００＊＊＊＊＊＊＊＊」に対しては「Ｆ４００」および「ＵＪ６７＊＊＊＊＊＊＊＊」に対しては「ＵＬ６７」などが、未解決問題事項件名に対する所定のキーワード（機器識別情報）として表示され、さらに、「Ｐ１００＊＊＊＊＊＊＊＊」に対しては「Ｐ１００・・・・・・・・」と「×××Ｐ１００××」、「Ｆ４００＊＊＊＊＊＊＊＊」に対しては「●●Ｆ４００●●●●」および「ＵＪ６７＊＊＊＊＊＊＊＊」に対しては「ＵＬ６７××」と「・・・・ＵＬ６７」と「ＵＬ６７−−−−−」などが、未解決問題事項件名に関連付けられた日誌文章として表示されている。
【００７６】
ここで、未解決問題事項件名に対して日誌文章が関連付けられる際に（ステップＳ２６）、日誌機能部１は、図１３等に示す日誌文章（当該日誌文章の日誌件名）に対して、日誌文章読み出し可能なように、リンクを作成する（リンクを張る）。
【００７７】
したがって、図１３等に例示したように、未解決問題事項件名と日誌文章との組合せが表示部７に列記・表示されている状態において、作業員が、操作部６を操作し、所望の日誌文章（より具体的には日誌件名）を選択（クリック）したとする。すると、日誌機能部１は、日誌記憶部３から、当該選択された日誌件名で識別される日誌文章を読み出し、当該読み出した日誌文章を、表示部７に表示させる。
【００７８】
以上のように、本実施の形態に係る電子日誌システムでは、プラント内で発生し未解決の問題を、未解決問題事項件名として登録することができる問題事項登録部２と、日誌文章の電子的作成を行う日誌機能部１とを備えている。そして、問題事項登録部２は、未解決問題事項件名を、所定のキーワードと関連付け登録し、日誌機能部１は、作成された日誌文章内に所定のキーワードが含まれているときには、所定のキーワードと関連付けられている未解決問題事項件名と、当該日誌文章とを関連付ける。
【００７９】
したがって、本実施の形態に係る電子日誌システムでは、プラント運転中に発生し、直ぐに解決できない問題を、未解決問題事項件名として管理することができる。さらに、当該電子日誌システムでは、単に時系列的に作成した日誌を、ユーザにより登録された未解決問題事項件名と自動的に（また、作業者が特に意識することなく、多大な労力を必要とせずに）紐づけさて、当該日誌を長期的に電子的に管理することができる。
【００８０】
よって、各未解決問題事項件名に対して、問題が発生した時から現在までの日誌の内容がまとまっており、未解決問題事項件名で特定される問題、および当該問題に関連付けされた日誌を、容易にかつ迅速に探し出すことができる。よって、当該問題に対するフォローを確実に行うことができる。さらには、ユーザにおける問題事項に対する意識の向上を図ることも可能となる。
【００８１】
ここで、本実施の形態では、所定のキーワードとして、プラントにおいて配設されている機器を識別する機器識別情報を採用している。これにより、未解決問題事項件名の登録の際、日誌作成の際、および未解決問題事項件名と日誌との紐づけの際に、プラント内で発生した問題と、当該問題と関連する機器との関係が明確となり、管理の利便性が向上する。
【００８２】
また、本実施の形態に係る電子日誌システムでは、日誌記憶部３、問題事項件名記憶部４および識別情報記憶５を備えている。
【００８３】
したがって、電子日誌システム内において、日誌を時系列的に管理することができ、また、プラント内に配設されている機器の管理を行うことができ、さらに複数の未解決問題事項件名を日誌関連付けて管理することができる。
【００８４】
なお、図１の構成例では、各記憶部３，４，５は別個独立に配設されている。しかしながら、上述したように、これらの記憶部３，４，５を一つの記憶部として構成しても当然良い。
【００８５】
また、本実施の形態に係る電子日誌システムでは、問題事項登録部２は、入力された未解決問題事項件名を識別情報記憶部５に送信する。そして、識別情報記憶部５は、未解決問題事項件名内に、自記憶部５に記憶されている機器識別情報が含まれていると判断したとき、当該機器識別情報を問題事項登録部２に送信する。そして、問題事項登録部２は、当該送信された機器識別情報を所定のキーワードとして決定し、入力された未解決問題事項件名と当該所定のキーワードとを相互に関連づけて、問題事項件名記憶部４に記憶する。
【００８６】
したがって、ユーザは、単に未解決問題事項件名を入力するだけで、特に意識せず、また労力を要せずに、入力した未解決問題事項件名と所定のキーワードとの関連付けを登録することができる。
【００８７】
他方、本実施の形態に係る電子日誌システムでは、識別情報記憶部５は、問題事項登録部２から送信された未解決問題事項件名内に、自記憶部５に記憶されている機器識別情報が含まれていないと判断したとき、その旨を問題事項登録部２に送信する。そして、このような場合には、問題事項登録部２は、外部から入力された機器識別情報を所定のキーワードとして決定し、入力された未解決問題事項件名と当該所定のキーワードとを相互に関連づけて、問題事項件名記憶部４に記憶する。
【００８８】
したがって、ユーザは、識別情報記憶部５には、未解決問題事項件名に含まれている機器識別情報が格納されていない場合であっても、簡単に、入力した未解決問題事項件名と所定のキーワード（外部から入力された機器識別情報）との関連付けを登録することができる。
【００８９】
また、本実施の形態に係る電子日誌システムでは、日誌機能部１は、日誌文章を問題事項件名記憶部４に送信する。そして、問題事項件名記憶部４は、当該日誌文章内に、自名記憶部４に所定のキーワードとして記憶されている機器識別情報が含まれていると判断したとき、当該判断の結果を日誌機能部１に送信する。そして、日誌機能部１は、当該判断の結果を受信したとき、作成された日誌文章と、当該機器識別情報（所定のキーワード）と関連付けて問題事項件名記憶部４に記憶されている未解決問題事項件名とを、関連付ける。
【００９０】
したがって、ユーザは、単に日誌を時系列的に作成するだけで、特に意識せず、また労力を要せずに、自動的に当該作成した日誌を予め登録されている未解決問題事項件名と紐づけすることができる。
【００９１】
また、本実施の形態に係る電子日誌システムでは、問題事項登録部４に登録されている未解決問題事項件名を、日誌文章と紐づけされた状態で、一覧形式で表示する表示部７を備えている。
【００９２】
したがって、ユーザは、プラントで発生した未解決問題を、当該未解決問題と関係付けられた日誌（日誌を示す情報であり、日誌件名）と共に、一覧形式で閲覧できる。よって、ユーザは、未解決問題および当該未解決問題と紐づけされている各日誌の把握が容易となり、また当該未解決問題に紐づけされている各日誌を、容易に見つけ出す（視認する）ことができる。
【００９３】
＜実施の形態２＞
本実施の形態では、「未解決問題事項」が解決されたときの電子日誌システムの動作について説明する。
【００９４】
所定の未解決問題事項件名である「件名Ｍ１」によって特定される問題が、作業員の対応等により解決したとする。このとき、作業員は、操作部６を通じて、「件名Ｍ１」に対する問題解決登録処理の開始を操作する。当該操作により、問題事項登録部２は、表示部７に、問題解決日を入力できる画面を表示させる。図１４は、当該画面の一例を示す図である。
【００９５】
図１４に例示するように、表示部７には、「未解決問題事項に対する問題解決登録」画面が表示される。ここで、図１４の例では、「件名Ｍ１」（つまり、問題解決登録処理の対象である所定の未解決問題事項件名）は、「Ｐ１００＊＊＊＊＊＊＊＊」である。したがって、当該例の場合には、当該画面には、問題解決登録処理の対象として、「Ｐ１００＊＊＊＊＊＊＊＊」が表示される。
【００９６】
さらに、当該画面には、図９の動作により「Ｐ１００＊＊＊＊＊＊＊＊」と関連付けられている日誌文章（日誌件名）、図３の動作により当該「Ｐ１００＊＊＊＊＊＊＊＊」と関連付けられている所定のキーワードが表示される。さらに、当該画面には、図１４に示すように、問題解決日を入力する完了日記入欄６１も表示される。
【００９７】
上記画面が表示されている状態において、作業員は、操作部６を通じて、完了日記入欄６１に対する問題解決日の登録を完了する（図１５の例示では、「２０１２年●月×日」が問題解決日として登録されている。すると、問題事項登録部２は、今まで、未解決問題事項件名一覧として、問題事項件名記憶部４に管理・格納されていた「Ｐ１００＊＊＊＊＊＊＊＊」およびこれに関連する各データ（関連付けされたいた各情報）を、「解決問題事項件名」として、問題事項件名記憶部４において記憶させる。
【００９８】
つまり、上記処理により、「Ｐ１００＊＊＊＊＊＊＊＊」は、「未解決問題事項件名」でなく、「解決問題事項件名」として、問題事項件名記憶部４に記憶される。ここで、所定の未解決問題事件名（上記件名Ｍ１）が問題事項件名記憶部４に記憶されていたとき、当該「件名Ｍ１」には所定のキーワードが関連付けられており、さらに当該「件名Ｍ１」には少なくとも１以上の日誌文章が関連付けられている。
【００９９】
よって、「件名Ｍ１」が「解決問題事項件名」として問題事項件名記憶部４に記憶される際、当該「件名Ｍ１」だけでなく、当該「件名Ｍ１」と関連付けられていた「所定のキーワード」および「日誌文章」も、前記関連付けが維持された状態で、問題事項件名記憶部４に格納される。ここで、日誌文章（日誌件名）において張られている「リンク」も維持される。さらに、上記で入力を行った問題解決日も、「件名Ｍ１」に対する問題の完了日として、問題事項件名記憶部４に記憶される。
【０１００】
つまり、図１５の例示の場合には、図１５に表示される各事項が、図１５に示す関連付け、リンク状態を維持して、「解決問題事項件名」として問題事項件名記憶部４に記憶される。
【０１０１】
上記問題解決登録処理を実行した後、作業員が、操作部６に対して、「未解決問題事項件名一覧」を表示させる操作を行ったとする。この場合、問題事項登録部２は、問題事項件名記憶部４から「未解決事項件名」（当該「未解決問題事項件名」に関連する他のデータも含めて）を読み出し、表示部７に当該読み出した「未解決事項件名」（当該「未解決問題事項件名」に関連する他のデータも含めて）表示する。図１４，１５の例の場合では、図１３に示されていた「Ｐ１００＊＊＊＊＊＊＊＊」が「解決問題事項件名」に変更されている。よって、この場合、図１６に示すような「未解決問題事項件名一覧」が表示部７に表示される。
【０１０２】
他方、上記問題解決登録処理を実行した後、作業員が、操作部６に対して、「解決問題事項件名一覧」を表示させる操作を行ったとする。この場合、問題事項登録部２は、問題事項件名記憶部４から「解決事項件名」（当該「解決問題事項件名」に関連する他のデータも含めて）を読み出し、表示部７に当該読み出した「解決事項件名」（当該「解決問題事項件名」に関連する他のデータも含めて）表示する。図１４，１５の例の場合では、図１３に示されていた「Ｐ１００＊＊＊＊＊＊＊＊」が「解決問題事項件名」に変更されている。よって、この場合、図１７に示すような「解決問題事項件名一覧」が表示部７に表示される。
【０１０３】
ここで、上述したように、「解決問題事項件名」に対して関連付けられている「日誌文章（日誌件名）」に対しても、実施の形態１で説明したリンクの状態が維持されている。よって、図１７に例示する表示状態において、作業員が、操作部６を操作し、所望の日誌文章（より具体的には日誌件名）を選択（クリック）したとする。すると、日誌機能部１は、日誌記憶部３から、当該選択された日誌件名で識別される日誌文章を読み出し、当該読み出した日誌文章を、表示部７に表示させることができる。
【０１０４】
なお、問題解決登録処理を行った後は、当該処理を行った「解決問題事項件名」に対して、実施の形態１の図９で示した日誌文章の関連付け処理は実施されない。つまり、図９に示した日誌文章を関連づける処理は、問題事項件名記憶部４において「未解決問題事項」として登録されている「未解決問題事項件名」に対してのみ実施される。
【０１０５】
これにより、既に完結している解決問題事項件名に、新たに作成された日誌文章が関連付けられることを防止できる。
【０１０６】
以上のように、本実施の形態に係る電子日誌システムでは、問題事項登録部２は、所定の未解決問題事項件名に対して、外部から問題の解決を示す情報が登録されたとき、当該所定の未解決問題事項件名を、日誌文章との関連付けを維持して、解決問題事項として登録する。
【０１０７】
したがって、解決された未解決問題は、問題発生から問題解決までの経過を、日誌としてまとめて確認できる。よって、問題がプラントで発生したときに、当該問題と類似する問題発生時の作成された解決問題事項を検索することで、早期問題解決が図られ、またノウハウの継承にも大いに役立つ。
【０１０８】
＜実施の形態３＞
「未解決問題事項件名」に対して、下記の２種類の登録を可能としても良い。つまり、本実施の形態では、「未解決問題事項」は、「気がかり案件」または「懸案事項案件」として登録される。
【０１０９】
たとえば、プラントにおいて新たに問題が発生し、当該問題が問題発生日には完全に解決せず、作業員が日誌機能部１を利用して日誌を作成する際に、当該問題が今後長期化する可能性があると判断したとする。この場合、日誌文章を作成した後に、作業員は、操作部６を通じて、気がかり案件登録の処理を実施する。
【０１１０】
すると、図１で示した問題事項登録部２は、未解決問題事項件名登録開始を開始し、上記日誌文章作成において入力された日誌件名を取得し、当該取得した日誌件名を未解決問題事項件名として決定する（図３のステップＳ１に想到する動作である）。ここで、当該日誌件名には、上記発生した問題に関連するプラントに配設されている機器の機器識別情報が含まれている。
【０１１１】
その後、図３のステップＳ２以降と同様の動作が実行され、未解決問題事項件名の登録が実行される。ここで、本実施の形態では、問題事項件名記憶部４に対して未解決問題事項件名の登録・記憶を行う際、問題事項登録部２は、当該未解決問題事項件名が「気がかり案件」であることを示す登録も実施し、その旨（「気がかり案件」であることを示すこと）が問題事項件名記憶部４に記憶される。
【０１１２】
当該「気がかり案件」は、「未解決問題事項件名」であるので、以後、日誌作成が実施された場合には、当該「気がかり案件」も含めて、図９で示した「未解決問題事項件名と日誌文章との関連付け処理」が実施される。
【０１１３】
さて、当該「気がかり案件」として登録されていた問題が、長期化が確定し、当該問題に関する各事項を今後の重要な記録として管理する必要があると作業員が判断したとする。このとき、作業員は、操作部６を通じて、「気がかり案件」を「懸案事項案件」に変更する操作を実施する。
【０１１４】
これにより、今まで「気がかり案件」として登録していた「未解決問題事項件名」を、「懸案事項案件」として、登録する処理を問題事項件名記憶部４に対して実行する。よって、問題事項件名記憶部４において、「気がかり案件」として登録していた「未解決問題事項件名」が、「懸案事項案件」として管理される。当該「懸案事項案件」も、「未解決問題事項件名」であるので、以後、日誌作成が実施された場合には、当該「懸案事項案件」も含めて、図９で示した「未解決問題事項件名と日誌文章との関連付け処理」が実施される。
【０１１５】
他方、上記「気がかり案件」として登録されていた問題が短期間で解決し、当該問題に関する「未解決問題事項件名」を今後の記録として管理する必要が無いと作業員が判断したとする。このとき、作業員は、操作部６を通じて、「気がかり案件」を開放する操作を実施する。
【０１１６】
これにより、問題事項登録部２は、「気がかり案件」である「未解決問題事項件名」を、問題事項件名記憶部４から削除する。ここで、「気がかり案件」である「未解決問題事項件名」に「日誌文章」が関連付けられていた場合には、当該関連付けも削除される。なお、日誌記憶部３における日誌文章の時系列的記憶は、維持され、日誌文章自身の削除は実行されない（あくまでも、当該未解決問題事項件名が「未解決問題事項件名一覧から削除され、当該削除された未解決問題事項件名と日誌文章との関連付けが解消されるのみである）。
【０１１７】
なお、「懸案事項案件」として登録された「未解決問題事項件名」は、上述した、未解決問題事項件名を未解決問題事項件名一覧から削除したり、未解決問題事項件名と日誌文章との関連付けを解消したりすることはなく、実施の形態２で説明した「問題解決登録処理」が実施された後、「解決問題事項件名」として、日誌文章との関連付け、リンク状態を維持して、問題事項件名記憶部４に記録される。
【０１１８】
このように、本実施の形態に係る電子日誌システムでは、未解決問題事項件名を２段階（「気がかり案件」→「懸案事項案件」）に登録することができる。したがって、当該電子日誌ステムの利便性を向上させることができる。
【０１１９】
＜実施の形態４＞
「未解決問題事項件名」に対して、下記の登録を可能としても良い。つまり、本実施の形態では、「未解決問題事項」に対して、「定修時対応」の登録を行うことが可能である。
【０１２０】
たとえば、プラントで問題が発生し、当該問題が、プラントの定修時にしか対応できないとする（つまり、当該問題が、プラント運転中には問題の対処が困難であり、プラント運転停止中の対応を要する問題であるとする）。このような場合には、当該問題を示す所定の未解決問題事項件名に対して、定修時対応の問題を示すために、「定修時対応」の登録を行う。
【０１２１】
当該「定修時対応」の登録は、作業員が操作部６を通じて実施し、操作部６からの操作に応じて、問題事項登録部２が当該「定修時対応」の登録を実行する。たとえば、当該「定修時対応」の登録は、未解決問題事項件名の登録の際または日誌作成の際に、実施することができる。
【０１２２】
そして、当該「定修時対応」の登録は、当該所定の未解決問題事項件名と共に、問題事項登録部２により、問題事項件名記憶部４において管理・記憶される。そして、未解決問題事項件名一覧を表示させたとき、当該所定の未解決問題事項件名と共に、当該所定の未解決問題事項件名で特定される問題が「定修時対応」であることが視認できる情報も表示される。
【０１２３】
なお、プラント定修時に当該所定の未解決問題事項件名で特定される問題の対応が実行されたとき、その後、作業員は、操作部６を通じて、当該所定の未解決問題事項件名に対した設定されていた「定修時対応」の登録を解除する操作を実行する。これにより、問題事項登録部２は、当該所定の未解決問題事項件名に対する「定修時対応」の登録を解除する動作を、問題事項件名記憶部４に対して実施する。
【０１２４】
ここで、当該所定の未解決問題事項件名で特定される問題も解決した場合には、当該所定の未解決問題事項件名に対して、上記実施の形態１で説明した「未解決問題事項件名」を「解決問題事項件名」として登録する動作を実行すれば良い（図１４，１５，１７参照）。
【０１２５】
このように、本実施の形態に係る電子日誌システムでは、未解決問題事項件名に対して、「定修時対応」の登録を行うことができる。したがって、ユーザは、プラント停止時に対応する必要がある未解決問題事項を容易に把握することができる。
【符号の説明】
【０１２６】
１  日誌機能部
２  問題事項登録部
３  日誌記憶部
４  問題事項件名記憶部４
５  識別情報記憶部
６  操作部
７  表示部
１００  電子日誌装置
【図１】
2014078151.tif 000003
【図２】
2014078151.tif 000004
【図３】
2014078151.tif 000005
【図４】
2014078151.tif 000006
【図５】
2014078151.tif 000007
【図６】
2014078151.tif 000008
【図７】
2014078151.tif 000009
【図８】
2014078151.tif 000010
【図９】
2014078151.tif 000011
【図１０】
2014078151.tif 000012
【図１１】
2014078151.tif 000013
【図１２】
2014078151.tif 000014
【図１３】
2014078151.tif 000015
【図１４】
2014078151.tif 000016
【図１５】
2014078151.tif 000017
【図１６】
2014078151.tif 000018
【図１７】
2014078151.tif 000019